(57)【要約】【課題】水処理用カートリッジを容易に交換することができ、使い勝手がよく簡易な構造の水処理装置を提供すること。【解決手段】被処理水を処理して処理水を製造する略円筒状のカートリッジ本体部３を有する水処理用カートリッジ２と、被処理水及び処理水が流通する水路を有し、水処理用カートリッジ２の下部を着脱自在に支持する装置本体と、水処理用カートリッジ２を導入する開口部３１を有し、水処理用カートリッジ２を収容するケーシング３０と、カートリッジ本体部３の外周面に設けられる係合部４と、係合部４と係合可能にケーシング３０（４０）に設けられ、カートリッジ本体部３の周方向の移動を規制する被係合部４５と、を備える。【選択図】図３
2012091126.tif 000002
【特許請求の範囲】
【請求項１】
被処理水を処理して処理水を製造する略円筒状のカートリッジ本体部を有する水処理用カートリッジと、
被処理水及び処理水が流通する水路を有し、前記水処理用カートリッジの下部を着脱自在に支持する装置本体と、
前記水処理用カートリッジを導入する開口部を有し、該水処理用カートリッジを収容するケーシングと、
前記カートリッジ本体部の外周面に設けられる係合部と、
前記係合部と係合可能に前記ケーシングに設けられ、前記カートリッジ本体部の周方向の移動を規制する被係合部と、
を備える水処理装置。
【請求項２】
前記ケーシングは、前記開口部を形成する上部ケーシングを有し、
前記係合部は、前記水処理用カートリッジの外周面から径方向に突出する係合凸部であり、
前記被係合部は、前記上部ケーシングの内周面において径方向に凹む係合凹部である請求項１に記載の水処理装置。
【請求項３】
前記係合凸部は、前記カートリッジ本体部の高さ方向に沿って延びる請求項２に記載の水処理装置。
【請求項４】
前記装置本体は、上方に管状に延び且つ前記水処理用カートリッジの下部が挿入される位置決め筒部を有し、
前記位置決め筒部は、前記水処理用カートリッジの下部を該位置決め筒部の内部に案内して位置決めする複数の位置決めリブを有する請求項１から３のいずれかに記載の水処理装置。
【請求項５】
前記位置決めリブは、前記位置決め筒部の中心軸に向かって傾斜して下がる位置決めテーパ部を有する請求項４に記載の水処理装置。
【請求項６】
前記カートリッジ本体部の底部に突出して設けられ、該カートリッジ本体部の内部に被処理水を導入する導入ノズル部と、
前記カートリッジ本体部の底部に突出して設けられ、該カートリッジ本体部の内部の処理水を外部に導出する導出ノズル部と、
前記位置決め筒部の内部と連通するように前記装置本体に開口され、前記導入ノズル部が嵌め込まれる導入ノズル部用嵌合穴と、
前記位置決め筒部の内部と連通するように前記装置本体に開口され、前記導出ノズル部が嵌め込まれる導出ノズル部用嵌合穴と、
前記位置決め筒部の内部と連通するように前記装置本体に開口され、該位置決め筒部の内部に位置する水を該装置本体の外部に排出する排水口と、
前記カートリッジ本体部の底部に突出して設けられる栓部であって、前記導入ノズル部が前記導入ノズル部用嵌合穴に嵌め込まれ且つ前記導出ノズル部が前記導出ノズル部用嵌合穴に嵌め込まれている場合に前記排水口を閉塞し、前記導入ノズル部が前記導入ノズル部用嵌合穴に嵌め込まれておらず且つ前記導出ノズル部が前記導出ノズル部用嵌合穴に嵌め込まれていない場合に前記排水口を開放する栓部と、
を更に備える請求項４又は５に記載の水処理装置。
【請求項７】
前記導入ノズル部及び前記導出ノズル部は、それぞれの突出方向における先端部に向かって外径が次第に小さくなるノズル側テーパ部を有し、
前記導入ノズル部用嵌合穴及び前記導出ノズル部用嵌合穴は、それぞれの開口縁部に、前記ノズル側テーパ部に対応し且つ前記導入ノズル部及び前記導出ノズル部が嵌め込まれる方向に向かって内径が次第に小さくなる穴側テーパ部を有する請求項６に記載の水処理装置。
【請求項８】
前記排水口は、排水管を接続する排水管接続部を備える請求項６又は７に記載の水処理装置。
【請求項９】
前記水処理用カートリッジは、前記カートリッジ本体部の内部に陽イオン交換体を有し、該カートリッジ本体部に導入された被処理水を該陽イオン交換体によってイオン交換処理することにより、被処理水から硬度成分を除去して軟水化処理水を製造する樹脂筒である請求項１から８のいずれかに記載の水処理装置。
【発明の詳細な説明】
【技術分野】
【０００１】
本発明は、軟水装置等の水処理装置に関する。
【背景技術】
【０００２】
水処理装置として、例えば、水道水等の被処理水に含まれる硬度成分をイオン交換樹脂に吸着させ、軟水化された処理水を製造する軟水装置や、被処理水に含まれる塩素成分を活性炭に吸着させて処理水を製造する浄水装置等が知られている。このような水処理装置は、被処理水に含まれる上記成分をイオン交換樹脂や活性炭等の処理材に吸着させて処理する。このような処理材は、被処理水の処理量に応じて処理能力が徐々に低下する。そのため、一定期間使用された処理材を交換する必要がある。
【０００３】
近年では、この処理材の交換を簡易に行えるよう、処理材が充填された水処理用カートリッジを交換するように設計された、いわゆるカートリッジ式の水処理装置が提供されている（例えば、特許文献１参照）。
【０００４】
このような水処理装置は、被処理水を処理して処理水を製造する略円筒状のカートリッジ本体部を有する水処理用カートリッジと、被処理水及び処理水が流通する水路を有し、水処理用カートリッジの下部を着脱自在に支持する装置本体と、水処理用カートリッジを導入する開口部を有し水処理用カートリッジを収容するケーシングと、を備える。
カートリッジ本体部は、装置本体への装着時に、水路と連通するように装置本体に支持される。
【先行技術文献】
【特許文献】
【０００５】
【特許文献１】特開２００３−８８８６２号公報
【発明の概要】
【発明が解決しようとする課題】
【０００６】
新しいカートリッジ本体部を装置本体に装着する場合、カートリッジ本体部と装置本体の水路とを連通させるために、装置本体に対して正確に位置決めしながら、カートリッジ本体部をケーシングの開口部に挿入する必要がある。
しかし、カートリッジ本体部が略円筒状に構成されている場合、カートリッジ本体部の周方向の位置決めが困難であり、使い勝手（作業性等）が悪かった。
また、上記位置決めを正確に行うために、カートリッジ本体部を装置本体に案内する専用のガイド部材を設けることも考えられるが、その場合、構造が複雑となり、製造コストが上昇する。
【０００７】
本発明は、水処理用カートリッジを容易に交換することができ、使い勝手がよく簡易な構造の水処理装置を提供することを目的とする。
【課題を解決するための手段】
【０００８】
本発明は、被処理水を処理して処理水を製造する略円筒状のカートリッジ本体部を有する水処理用カートリッジと、被処理水及び処理水が流通する水路を有し、前記水処理用カートリッジの下部を着脱自在に支持する装置本体と、前記水処理用カートリッジを導入する開口部を有し、該水処理用カートリッジを収容するケーシングと、前記カートリッジ本体部の外周面に設けられる係合部と、前記係合部と係合可能に前記ケーシングに設けられ、前記カートリッジ本体部の周方向の移動を規制する被係合部と、を備える水処理装置に関する。
【０００９】
また、前記ケーシングは、前記開口部を形成する上部ケーシングを有し、前記係合部は、前記水処理用カートリッジの外周面から径方向に突出する係合凸部であり、前記被係合部は、前記上部ケーシングの内周面において径方向に凹む係合凹部であることが好ましい。
【００１０】
また、前記係合凸部は、前記カートリッジ本体部の高さ方向に沿って延びることが好ましい。
【００１１】
また、前記装置本体は、上方に管状に延び且つ前記水処理用カートリッジの下部が挿入される位置決め筒部を有し、前記位置決め筒部は、前記水処理用カートリッジの下部を該位置決め筒部の内部に案内して位置決めする複数の位置決めリブを有することが好ましい。
【００１２】
また、前記位置決めリブは、前記位置決め筒部の中心軸に向かって傾斜して下がる位置決めテーパ部を有することが好ましい。
【００１３】
また、前記カートリッジ本体部の底部に突出して設けられ、該カートリッジ本体部の内部に被処理水を導入する導入ノズル部と、前記カートリッジ本体部の底部に突出して設けられ、該カートリッジ本体部の内部の処理水を外部に導出する導出ノズル部と、前記位置決め筒部の内部と連通するように前記装置本体に開口され、前記導入ノズル部が嵌め込まれる導入ノズル部用嵌合穴と、前記位置決め筒部の内部と連通するように前記装置本体に開口され、前記導出ノズル部が嵌め込まれる導出ノズル部用嵌合穴と、前記位置決め筒部の内部と連通するように前記装置本体に開口され、該位置決め筒部の内部に位置する水を該装置本体の外部に排出する排水口と、前記カートリッジ本体部の底部に突出して設けられる栓部であって、前記導入ノズル部が前記導入ノズル部用嵌合穴に嵌め込まれ且つ前記導出ノズル部が前記導出ノズル部用嵌合穴に嵌め込まれている場合に前記排水口を閉塞し、前記導入ノズル部が前記導入ノズル部用嵌合穴に嵌め込まれておらず且つ前記導出ノズル部が前記導出ノズル部用嵌合穴に嵌め込まれていない場合に前記排水口を開放する栓部と、を更に備えることが好ましい。
【００１４】
また、前記導入ノズル部及び前記導出ノズル部は、それぞれの突出方向における先端部に向かって外径が次第に小さくなるノズル側テーパ部を有し、前記導入ノズル部用嵌合穴及び前記導出ノズル部用嵌合穴は、それぞれの開口縁部に、前記ノズル側テーパ部に対応し且つ前記導入ノズル部及び前記導出ノズル部が嵌め込まれる方向に向かって内径が次第に小さくなる穴側テーパ部を有することが好ましい。
【００１５】
また、前記排水口は、排水管を接続する排水管接続部を備えることが好ましい。
【００１６】
また、前記水処理用カートリッジは、前記カートリッジ本体部の内部に陽イオン交換体を有し、該カートリッジ本体部に導入された被処理水を該陽イオン交換体によってイオン交換処理することにより、被処理水から硬度成分を除去して軟水化処理水を製造する樹脂筒であることが好ましい。
【発明の効果】
【００１７】
本発明によれば、水処理用カートリッジを容易に交換することができ、使い勝手がよく簡易な構造の水処理装置を提供することができる。
【図面の簡単な説明】
【００１８】
【図１】本発明の実施形態の水処理装置について、水処理用カートリッジを装置本体に装着しない状態で一部を省略し、一部を断面視で示す側面図である。
【図２】本発明の実施形態の水処理用カートリッジについて、図１とは異なる方向から視た側面図である。
【図３】本発明の実施形態の水処理装置を示す部分平面図である。
【図４】本発明の実施形態の装置本体を示す部分平面図である。
【図５】本発明の実施形態の水処理用カートリッジの下部が位置決めリブによって位置決め筒部の内部に案内される様子を示す側面図である。
【図６】本発明の実施形態の水処理用カートリッジが装置本体に装着された状態を示す側面図である。
【発明を実施するための形態】
【００１９】
以下に、本発明の実施形態の水処理装置について図１から図６を参照しながら説明する。本実施形態においては、水処理装置として、軟水装置を例にして説明する。
図１は、本発明の実施形態の水処理装置について、水処理用カートリッジを装置本体に装着しない状態で一部を省略し、一部を断面視で示す側面図である。図２は、本発明の実施形態の水処理用カートリッジについて、図１とは異なる方向から視た側面図である。図３は、本発明の実施形態の水処理装置を示す部分平面図である。図４は、本発明の実施形態の装置本体を示す部分平面図である。図５は、本発明の実施形態の水処理用カートリッジの下部が位置決めリブによって位置決め筒部の内部に案内される様子を示す側面図である。図６は、本発明の実施形態の水処理用カートリッジが装置本体に装着された状態を示す側面図である。
【００２０】
図１〜図６に示すように、本実施形態の水処理装置１は、被処理水としての水道水を処理し、処理水としての軟水化処理水を製造する水処理用カートリッジ２と、水処理用カートリッジ２の下部を着脱自在に支持する装置本体５と、水処理用カートリッジ２及び装置本体５を収容するケーシング３０と、水処理用カートリッジ２に設けられる係合部としての係合凸部４（図３参照）と、ケーシング３０に設けられる被係合部としての係合凹部４５（図３参照）と、水処理用カートリッジ２に設けられる導入ノズル部５０、導出ノズル部５２及び栓部５５と、装置本体５に設けられる導入ノズル部用嵌合穴１０、導出ノズル部用嵌合穴１４及び排水口１８と、を主体に備える。
【００２１】
水処理用カートリッジ２は、図１から図３に示すように、略円筒状のカートリッジ本体部３を有する。ここで、「略円筒状」とは、カートリッジ本体部３がその高さ方向における大部分で円筒状となっている、という趣旨である。
カートリッジ本体部３は、その内部に陽イオン交換体（図示せず）を有する樹脂筒である。この陽イオン交換体は、カートリッジ本体部３に導入された被処理水をイオン交換処理することにより、被処理水から硬度成分を除去して軟水化処理水を製造する。カートリッジ本体部３の底部３ａの構成については、後述する。
【００２２】
装置本体５は、図１及び図４に示すように、被処理水及び処理水が流通する水路７、導入ノズル部用嵌合穴１０、導出ノズル部用嵌合穴１４及び排水口１８が形成される基部６と、位置決め筒部２０と、を有する。
水路７は、導入ノズル部用嵌合穴１０への被処理水、導出ノズル部用嵌合穴１４からの処理水及び水処理用カートリッジ２（排水口１８）からの排水がそれぞれ独立して流通できるように、基部６に形成される。
【００２３】
導入ノズル部用嵌合穴１０は、図１、図４及び図６に示すように、位置決め筒部２０の内部と連通するように基部６に開口され、後述の導入ノズル部５０が嵌め込まれる部分である。導入ノズル部用嵌合穴１０は、被処理水が流通する水路７とも連通する。
導出ノズル部用嵌合穴１４は、図１、図４及び図６に示すように、位置決め筒部２０の内部と連通するように装置本体５に開口され、後述の導出ノズル部５２が嵌め込まれる部分である。導出ノズル部用嵌合穴１４は、処理水が流通する水路７とも連通する。
【００２４】
また、これらの導入ノズル部用嵌合穴１０及び導出ノズル部用嵌合穴１４は、それぞれの開口縁部に、穴側テーパ部１１，１５を有する。穴側テーパ部１１，１５は、カートリッジ本体部３のノズル側テーパ部５１，５３（後述）に対応する。穴側テーパ部１１，１５は、後述の導入ノズル部５０及び導出ノズル部５２が嵌め込まれる方向に向かって内径が次第に小さくなっている。
【００２５】
排水口１８は、図１及び図４に示すように、位置決め筒部２０の内部と連通するように基部６に開口される。排水口１８は、後述の位置決め筒部２０の内部に位置する水、例えば、後述の導入ノズル部５０及び導出ノズル部５２から排出された被処理水及び処理水を、装置本体５の外部に排出する。また、排水口１８は、排水が流通する水路７とも連通する。この排水口１８は、図１に示すように、排水を排水口１８から離れた箇所に導く排水管（図示せず）を接続する排水管接続部としてのエルボ７０を備える。このエルボ７０は、例えば、排水口１８に螺合させることにより、排水口１８と接続される。
【００２６】
位置決め筒部２０は、図１及び図４に示すように、基部６から上方に円管状（円筒状）に延びている。位置決め筒部２０は、導入ノズル部用嵌合穴１０、導出ノズル部用嵌合穴１４及び排水口１８の上方に位置する。位置決め筒部２０は、水処理用カートリッジ２の下部（底部３ａ）が挿入されると共に（図６参照）、水処理用カートリッジ２から排出される水を貯留可能に構成される。水処理用カートリッジ２の内径は、水処理用カートリッジ２の下部（底部３ａ）を挿入できる程度に、水処理用カートリッジ２の下部（底部３ａ）の外径よりも大きい。
【００２７】
位置決め筒部２０の内容積は、例えば、次のように設定される。水処理用カートリッジ２から排出される水は、位置決め筒部２０の内部に貯めてから排水されるようにする必要がある。具体的には、「水処理用カートリッジ２からの排水流量−水処理装置１（特に排水口１８）から排水される流量」の水が、位置決め筒部２０の外部に漏れる（溢れる）ことなく位置決め筒部２０の内部に貯められるように、位置決め筒部２０の内容積が設定される。
なお、位置決め筒部２０の内部に位置する基部６の上面５ａは、排水口１８に向かって低くなるように、所定の水勾配を有していることが好ましい。
【００２８】
また、位置決め筒部２０は、図１及び図４に示すように、その内周面２１においてその中心軸Ｃと平行に延びる複数（例えば、１２本）の位置決めリブ２３を有する。位置決めリブ２３は、板状に構成される。この位置決めリブ２３は、水処理用カートリッジ２の下部を位置決め筒部２０の内部に案内して位置決めする。位置決めリブ２３は、導入ノズル部用嵌合穴１０、導出ノズル部用嵌合穴１４及び排水口１８を避けて設けられる。位置決めリブ２３は、その上端部に、位置決め筒部２０の中心軸Ｃ（図１参照）に向かって傾斜して下がる位置決めテーパ部２４を有する。
【００２９】
ケーシング３０は、図１及び図３に示すように、水処理用カートリッジ２を導入する開口部３１を有し、水処理用カートリッジ２を収容する筺体である。
また、ケーシング３０は、図１、図３及び図５に示すように、上部ケーシング４０と、下部ケーシング４８と、を有する。ケーシング３０の上部には、開口部３１が設けられる。上部ケーシング４０は、ケーシング３０の開口部３１を形成する略円環状の部材である。上部ケーシング４０は、ケーシング３０の高さ方向の上部において、ケーシング３０の一部分を構成する。下部ケーシング４８は、ケーシング３０の高さ方向の大部分をなす筒状の部材である。上部ケーシング４０は、図５に示すように、下部ケーシング４８の上端縁に固定される。
【００３０】
係合部としての係合凸部４は、図２及び図３に示すように、水処理用カートリッジ２（カートリッジ本体部３）の外周面２ａから径方向に突出する。係合凸部４は、この外周面２ａに一対設けられ、カートリッジ本体部３の高さ方向の大部分に沿って平行に延びる。係合凸部４は、図３に示すように、平面視で略台形状となっている。
【００３１】
被係合部としての係合凹部４５は、図３に示すように、上部ケーシング４０の内周面４５ａにおいて径方向に凹むように設けられ、係合凸部４と係合可能に構成される。つまり、係合凹部４５は、ケーシング３０の高さ方向の上部に位置し、水処理用カートリッジ２がケーシング３０に挿入される過程において、係合凸部４と係合するように構成される。係合凹部４５は、カートリッジ本体部３（係合凸部４）の周方向の移動を規制する。
【００３２】
次に、カートリッジ本体部３の底部３ａの構成について説明する。カートリッジ本体部３は、図１及び図２に示すように、その底部３ａに、導入ノズル部５０と、導出ノズル部５２と、栓部５５とを有する。
導入ノズル部５０は、カートリッジ本体部３の底部３ａに突出して円筒状に設けられる。導入ノズル部５０は、カートリッジ本体部３の内部に被処理水を導入する。導入ノズル部５０は、その外周面にＯリング（図示せず）を装着可能に構成される。
導出ノズル部５２は、カートリッジ本体部３の底部３ａに突出して円筒状に設けられる。導出ノズル部５２は、カートリッジ本体部３の内部の処理水を外部に導出する。導出ノズル部５２は、その外周面にＯリング（図示せず）を装着可能に構成される。
【００３３】
また、これらのカートリッジ本体部３の導入ノズル部５０及び導出ノズル部５２は、それぞれの突出方向における先端部に向かって外径が次第に小さくなるノズル側テーパ部５１，５３を有する。
【００３４】
図６に示すように、導入ノズル部５０は、装置本体５の導入ノズル部用嵌合穴１０に嵌め込まれる。導出ノズル部５２は、装置本体５の導出ノズル部用嵌合穴１４に嵌め込まれる。
【００３５】
栓部５５は、図１及び図２に示すように、カートリッジ本体部３の底部３ａに突出して円柱状に設けられる。栓部５５は、装置本体５の排水口１８に嵌め込まれる。
【００３６】
この栓部５５は、カートリッジ本体部３の導入ノズル部５０が装置本体５の導入ノズル部用嵌合穴１０に嵌め込まれ、かつ、カートリッジ本体部３の導出ノズル部５２が装置本体５の導出ノズル部用嵌合穴１４に嵌め込まれている場合に、装置本体５の排水口１８に嵌め込まれ、この排水口１８を閉塞する。また、この栓部５５は、導入ノズル部５０が導入ノズル部用嵌合穴１０に嵌め込まれておらず、かつ、導出ノズル部５２が導出ノズル部用嵌合穴１４に嵌め込まれていない場合に、排水口１８を開放する。
【００３７】
次に、水処理用カートリッジ２を装置本体５に装着する際の動作について、図１、図３、図５及び図６を参照しながら説明する。
ユーザは、上部ケーシング４０の開口部３１に水処理用カートリッジ２を挿入する際に、上部ケーシング４０の係合凹部４５と水処理用カートリッジ２の係合凸部４とを係合させる（図１及び図３参照）。
【００３８】
これにより、カートリッジ本体部３が略円筒状であっても、水処理用カートリッジ２の周方向の移動が規制され、水処理用カートリッジ２の周方向の位置決めを容易に行うことができる。つまり、ユーザは、係合凸部４及び係合凹部４５を係合させて水処理用カートリッジ２をケーシング３０内に挿入するだけで、水処理用カートリッジ２を装置本体５に容易に装着することができる。
【００３９】
次に、図１及び図５に示すように、水処理用カートリッジ２を上部ケーシング４０の開口部３１から装置本体５に向かって挿入していく場合について説明する。
水処理用カートリッジ２の下端部（底部３ａ）が、装置本体５の位置決め筒部２０に到達するまでの過程において、例えば、図５に示すように、水処理用カートリッジ２がその上下方向において傾斜すると、水処理用カートリッジ２の下端部は、ケーシング３０の内周面３０ａによって径方向の移動を規制される。
【００４０】
そして、水処理用カートリッジ２を装置本体５に向かって更に挿入していくと、水処理用カートリッジ２の底部３ａは、位置決めリブ２３の位置決めテーパ部２４に当接し、この位置決めテーパ部２４によって位置決め筒部２０の内部に案内される。これにより、水処理用カートリッジ２の中心軸（図示せず）を、位置決め筒部２０の中心軸Ｃと略一致させることができる。つまり、水処理用カートリッジ２の略直径の範囲内において、水処理用カートリッジ２を装置本体５に対して位置決めすることができる。そのため、水処理装置１を小型化することができる。また、水処理用カートリッジ２を装置本体５に案内するための専用のガイド部材が不要となる。
【００４１】
前記したように、カートリッジ本体部３の導入ノズル部５０及び導出ノズル部５２は、それぞれノズル側テーパ部５１，５３を有する。また、導入ノズル部用嵌合穴１０及び導出ノズル部用嵌合穴１４は、穴側テーパ部１１，１５を有する。そのため、ノズル側テーパ部５１，５３と穴側テーパ部１１，１５とが当接することにより、導入ノズル部５０及び導出ノズル部５２は、導入ノズル部用嵌合穴１０及び導出ノズル部用嵌合穴１４に容易に案内される。これにより、図６に示すように、導入ノズル部５０が導入ノズル部用嵌合穴１０に容易に嵌め込まれ、導出ノズル部５２が導出ノズル部用嵌合穴１４に容易に嵌め込まれる。
【００４２】
図６に示すように、導入ノズル部５０及び導出ノズル部５２が、それぞれ導入ノズル部用嵌合穴１０及び導出ノズル部用嵌合穴１４に嵌め込まれると同時に、水処理用カートリッジ２の栓部５５は、装置本体５の排水口１８を閉塞する。そのため、例えば、水処理装置１を浴室等で使用する場合に、浴室内の湯気が、排水口１８から水処理装置１の内部に浸入してくることを抑制することができる。
【００４３】
次に、使用済みの水処理用カートリッジ２を装置本体５から取り外す際の動作について説明する。
ユーザは、例えば図５に示すように、水処理用カートリッジ２を装置本体５から若干引き抜いた状態を一定時間維持する。ここで、「若干引き抜いた状態」とは、導入ノズル部５０が導入ノズル部用嵌合穴１０から引き抜かれると共に、導出ノズル部５２が導出ノズル部用嵌合穴１４から引き抜かれ、更に栓部５５が排水口１８から引き抜かれた状態をいう。また、「一定時間」とは、水処理用カートリッジ２の内部に残存していた水（被処理水及び処理水）が、導入ノズル部５０及び導出ノズル部５２から水処理用カートリッジ２の外部（位置決め筒部２０の内部）に排出されるまでの時間をいう。
【００４４】
導入ノズル部５０が導入ノズル部用嵌合穴１０から引き抜かれ、導出ノズル部５２が導出ノズル部用嵌合穴１４から引き抜かれると（図５参照）、栓部５５は、排水口１８を開放する。
【００４５】
水処理用カートリッジ２の内部に残存していた水は、導入ノズル部５０及び導出ノズル部５２から排出され、水処理用カートリッジ２の直下に位置する位置決め筒部２０の内部に貯まる。これと同時に、位置決め筒部２０の内部に溜まった水（位置決め筒部２０の内部に位置する水）は、排水口１８から装置本体５の外部に排出される。
このように、位置決め筒部２０は、水処理用カートリッジ２から排水される水を貯めて排水することができる。そのため。排水を貯めるための専用の部品が不要となる。
【００４６】
以上に説明したように、ユーザが水処理用カートリッジ２を装置本体５から引き抜くと、水処理用カートリッジ２の内部に残存していた水が、水処理用カートリッジ２の外部に自動的に排出される。そのため、水処理用カートリッジ２の重量は、排出された水の重量分だけ軽くなり、ユーザが女性や高齢者等の場合等であっても、水処理用カートリッジ２を容易に運搬することができ、使い勝手がよくなる。
また、水処理用カートリッジ２の内部に残存していた水を水処理用カートリッジ２の外部に容易に排出することができるので、水処理用カートリッジ２を水抜きがされた状態で廃棄することができる。
【００４７】
以上に説明した本実施形態の水処理装置１によれば、以下に示す各効果が奏される。
本実施形態の水処理装置１は、略円筒状のカートリッジ本体部３を有する水処理用カートリッジ２と、被処理水及び処理水が流通する水路７を有し、水処理用カートリッジ２の下部を着脱自在に支持する装置本体５と、水処理用カートリッジ２を導入する開口部３１を有し、水処理用カートリッジ２を収容するケーシング３０と、カートリッジ本体部３の外周面に設けられる係合部としての係合凸部４と、係合凸部４と係合可能にケーシング３０に設けられ、カートリッジ本体部３の周方向の移動を規制する被係合部としての係合凹部４５と、を備える。
【００４８】
そのため、ユーザが水処理用カートリッジ２をケーシング３０の開口部３１に挿入する際に、水処理用カートリッジ２の係合凸部４と上部ケーシング４０の係合凹部４５とを係合させるだけで、水処理用カートリッジ２の周方向の移動が規制される。これにより、ユーザは、水処理用カートリッジ２の周方向の位置決めを容易に行うことができる。従って、本実施形態の水処理装置１によれば、水処理用カートリッジ２を容易に交換することができ、使い勝手がよく簡易な構造の水処理装置１を提供することができる。
【００４９】
また、本実施形態の水処理装置１においては、ケーシング３０は、開口部３１を形成する上部ケーシング４０を有し、係合部は、水処理用カートリッジ２の外周面から径方向に突出する係合凸部４であり、被係合部は、上部ケーシング４０の内周面において径方向に凹む係合凹部４５である。
【００５０】
そのため、上部ケーシング４０によってケーシング３０に開口部３１を容易に形成することができる。また、上部ケーシング４０の開口部３１の内周面に係合凹部４５を形成すればよく、ケーシング３０の高さ方向における内周面の全体に亘って係合凹部４５を形成する必要がなくなる。従って、係合凹部４５を形成するためのコストを低減することができる。また、係合部及び被係合部を簡易に構成することができる。
【００５１】
また、本実施形態の水処理装置１においては、係合凸部４は、カートリッジ本体部３の高さ方向に沿って延びる。そのため、カートリッジ本体部３の係合凸部４が上部ケーシング４０の係合凹部４５によって周方向の移動を規制された状態を維持したまま、カートリッジ本体部３を装置本体５に向かって挿入していくことができる。
【００５２】
また、本実施形態の水処理装置１においては、装置本体５は、上方に管状に延び且つ水処理用カートリッジ２の下部が挿入される位置決め筒部２０を有し、位置決め筒部２０は、水処理用カートリッジ２の下部を位置決め筒部２０の内部に案内して位置決めする複数の位置決めリブ２３を有する。そのため、複数の位置決めリブ２３によって位置決め筒部２０を補強することができる。
【００５３】
また、位置決めリブ２３によって位置決め筒部２０が補強されるため、成形上、位置決め筒部２０の肉厚を少なくして円管形状を構成することができる。そのため、位置決め筒部２０の内容積を増加することができ、貯水量を増加することができる。
【００５４】
また、本実施形態の水処理装置１においては、位置決めリブ２３は、位置決め筒部２０の中心軸Ｃに向かって傾斜して下がる位置決めテーパ部２４を有する。そのため、位置決めリブ２３の位置決めテーパ部２４によって水処理用カートリッジ２の底部３ａ（下端部）を位置決め筒部２０の内部に容易に案内することができる。
【００５５】
また、本実施形態の水処理装置１は、導入ノズル部５０と、導出ノズル部５２と、導入ノズル部用嵌合穴１０と、導出ノズル部用嵌合穴１４と、位置決め筒部２０の内部に位置する水を装置本体５の外部に排出する排水口１８と、排水口１８を閉塞すると共に排水口１８を開放する栓部５５と、を更に備える。
【００５６】
そのため、導入ノズル部５０が導入ノズル部用嵌合穴１０に嵌め込まれ、かつ、導出ノズル部５２が導出ノズル部用嵌合穴１４に嵌め込まれている場合には、栓部５５によって排水口１８を閉塞することができる。また、導入ノズル部５０が導入ノズル部用嵌合穴１０に嵌め込まれておらず、かつ、導出ノズル部５２が導出ノズル部用嵌合穴１４に嵌め込まれていない場合には、排水口１８を開放することができる。従って、位置決め筒部２０の内部に位置する水を排水口１８から装置本体５の外部に排出することができる。
【００５７】
また、本実施形態の水処理装置１においては、導入ノズル部５０及び導出ノズル部５２は、ノズル側テーパ部５１，５３を有し、導入ノズル部用嵌合穴１０及び導出ノズル部用嵌合穴１４は、穴側テーパ部１１，１５を有する。そのため、水処理用カートリッジ２が装置本体５に向かって挿入されて、ノズル側テーパ部５１，５３と穴側テーパ部１１，１５とが当接することにより、導入ノズル部５０及び導出ノズル部５２を導入ノズル部用嵌合穴１０及び導出ノズル部用嵌合穴１４に容易に案内することができる。
【００５８】
また、本実施形態の水処理装置１においては、排水口１８は、排水管を接続するエルボ７０を備える。そのため、排水管接続部及び排水管を介することにより、排水口１８から排出される水を、排水口１８から離れた箇所に排出することができる。
【００５９】
以上、本発明の一実施形態について説明したが、本発明は、前述した実施形態に制限されるものではなく、適宜変更が可能である。
例えば、前記実施形態においては、位置決め筒部２０を円管状（円筒状）に構成するものとして説明したが、これに制限されない。位置決め筒部２０を角筒状に構成してもよい。
【００６０】
また、前記実施形態においては、水処理装置として、軟水装置を例にして説明したが、これに制限されない。水処理装置として、例えば、活性炭によって被処理水を浄化する浄水装置であってもよい。
【符号の説明】
【００６１】
Ｃ  中心軸
１  水処理装置
２  水処理用カートリッジ
２ａ  外周面
３  カートリッジ本体部
３ａ  底部
４  係合凸部（係合部）
５  装置本体
７  水路
１０  導入ノズル部用嵌合穴
１１  穴側テーパ部
１４  導出ノズル部用嵌合穴
１５  穴側テーパ部
１８  排水口
２０  位置決め筒部
２３  位置決めリブ
２４  位置決めテーパ部
３０  ケーシング
３１  開口部
４０  上部ケーシング
４５  係合凹部（被係合部）
４５ａ  内周面
５０  導入ノズル部
５１  ノズル側テーパ部
５２  導出ノズル部
５３  ノズル側テーパ部
５５  栓部
７０  エルボ（排水管接続部）
【図１】
2012091126.tif 000003
【図２】
2012091126.tif 000004
【図３】
2012091126.tif 000005
【図４】
2012091126.tif 000006
【図５】
2012091126.tif 000007
【図６】
2012091126.tif 000008